(57)【要約】【課題】カメラに内蔵される電子閃光装置において操作感を損ねることなくまた、エネルギ損失の少ない電子閃光装置を提供する。【解決手段】放電管と放電管の発光エネルギを蓄積するメインコンデンサと電池電圧を昇圧する昇圧回路とを有する電子閃光装置に於いて、メインコンデンサへの昇圧と、メインコデンサから電池への逆充電制御を可能とし、ストロボ未使用状態におけるメインコンデンサからのエネルギ損失を少なくするたために、一度メインコンデンサへ貯えられたエネルギを電池側に戻すようにして、エネンルギの無駄を省く。【選択図】図１
2004004378.tif 000002
【特許請求の範囲】
【請求項１】
放電管と放電管の発光エネルギを蓄積するメインコンデンサと電池電圧を昇圧する昇圧回路とを有する電子閃光装置に於いて、
メインコンデンサへの昇圧と、メインコデンサから電池への逆充電制御を可能としたことを特徴とする電子閃光装置。
【請求項２】
請求項１で昇圧回路としてフライバック型トランスを用いたことを特徴とする。
【請求項３】
請求項１で昇圧回路動作を同期整流動作をさせることを特徴とする。
【請求項４】
放電管と放電管の発光エネルギを蓄積するメインコンデンサと電池電圧を昇圧する昇圧回路とを有する電子閃光装置に於いて、
メインコンデンサへの昇圧と、メインコデンサから電池への逆充電制御を切り替え可能として、操作部材に連動してその制御を変更することを特徴とする電子閃光装置。
【請求項５】
請求項４で昇圧回路としてフライバック型トランスを用いたことを特徴とする。
【請求項６】
請求項４で昇圧回路動作を同期整流動作をさせることを特徴とする。
【請求項７】
請求項４で電源スイッチ操作に連動して制御を変更することを特徴とする。
【請求項８】
請求項４でレリーズ釦の操作に連動して制御を変更することを特徴とする。
【請求項９】
請求項４で操作部材に操作後、所定時間後に、制御を変更することを特徴とする。
【発明の詳細な説明】
【０００１】
【発明の属する技術分野】
本発明は電子閃光装置、特にその充電装置に関するものである。
【０００２】
【従来の技術】
近年、カメラに用いられる、ストロボ装置においては、数ボルトの電池電圧より、発光用のエネンルギを貯えるメインコンデンサへの昇圧を行い、数百ボルトに昇圧し、エネルギを貯えることが知られている。
【０００３】
また、このときの昇圧回路としては、従来ブロッキングオシレータ風動作の昇圧回路構成のものが、一次側電流の制御が任意にできることの特徴により、フライバック型の回路構成を用いたものが使用されるようになってきている。また、このときのカメラ用電池としては種種の電池が用いられ、１次電池や２次電池等が使用されている。一般的にカメラの使用状態を考えたときに　閃光装置の消費電力の比率は非常に高く、総合的なカメラとしての使用回数が　ストロボの使用頻度で決まるといっても過言では無い状況である。
【０００４】
【発明が解決しようとする課題】
しかしながら、ストロボ回路においては、一度昇圧され、メインコンデンサに貯えられた電荷は、メインコンデンサ充電電圧の検知回路のリークや、メインコンデンサ自身のリークにより、自然放置していても徐々の電荷がぬけていき、再度カメラ使用時には再充電が必要となり、エネルギの無駄がでてくるという問題を有していた。
【０００５】
本発明はこのような問題点に鑑みなされたもので、カメラに内蔵される電子閃光装置において操作感を損ねることなくまた、エネルギ損失の少ない電子閃光装置を提供することを目的とするものである。
【０００６】
【課題を解決するための手段】
放電管と放電管の発光エネルギを蓄積するメインコンデンサと電池電圧を昇圧する昇圧回路とを有する電子閃光装置に於いて、
メインコンデンサへの昇圧と、メインコデンサから電池への逆充電制御を可能とし、ストロボ未使用状態におけるメインコンデンサからのエネルギ損失を少なくするために、一度メインコンデンサへ貯えられたエネルギを電池側に戻すようにして、エネルギの無駄を省くことに有る。
【０００７】
【発明の実施の形態】
（第１の実施例）
図１に本発明の一実施例である電子閃光装置の回路図を示す。
【０００８】
この実施例の示すところは電子閃光装置用の充電装置としてフライバック式の他励式コンバータで構成されるものである。
【０００９】
まず、図１を用いて電子閃光装置の回路構成を説明する。１は電源であるところの電池、２は発振用一次側半導体スイッチ素子、３はダイオード。４は発振トランスでフライッバク型構成のもので一次側巻線と２次側巻線の向きが逆にまかれている。二次出力端子から後述するメインコンデンサに接続されている。５は２次側整流用ダイオードで、６は発振用２次側半導体スイッチ素子、１５は電圧検出回路を示すブロックであり、メインコンデンサの充電電圧を検出する、１６はトリガ−回路、１７は放電管、１８はメインコンデンサで、トリガー回路ブロック１６からの出力が放電管１７のトリガー電極に接続されている。放電管１７はメインコンデンサ１８と並列に接続され、電圧検出回路１５もメインコンデンサ１８の電圧を検出する様、メインコンデンサ１８に並列に接続されている。１９はカメラの制御回路であり、図２のマイクロコンピュータの一部である。
【００１０】
ａ，ｂ，ｃ，ｄ，ｅはカメラ制御部との接続ラインでａはスイッチ素子２の制御電極に、ｂはスイッチ素子６の制御電極に、接続ラインｃは電圧検出回路（ＶＤと略記）１５への電圧検出回路駆動信号ラインで、この電圧検出回路出力信号が端子ｄを介してカメラ制御回路１９に入力されメインコンデンサ１８の充電電圧を検出する。端子ｅは放電管１７を発光させるためのトリガー回路１６を作動させるための発光起動を与えるものである。
【００１１】
図２には電子閃光装置を制御するカメラ制御回路のブロック図を示す。
中央の破線の枠で示したブロック１２５はマイクロコンピュ−タ（以下マイコンと呼ぶ）からなるカメラ制御ブロックである。１２０は定電圧ブロックで、カメラ制御ブロック１２５からＶＣＣＥＮ端子を介して制御され各回路ブロックに電源であるＶＣＣを供給する。
【００１２】
１２１はスイッチ回路ブロックで電池またはカメラの各制御ブロック用電源であるＶＣＣ電源により作動して各スイッチの状態や変化などをカメラ制御ブロック１２５へ伝達する。１２２は温度検出回路ブロック、１２３はフィルム感度及び駒数などの情報を得るフィルム感度検出ブロック、１２４はバッテリチェック回路、１２６はシャッタを駆動するシャッタ駆動回路、１２７は測距回路ブロック、１２８は測光回路ブロックでありカメラ制御ブロック１２５に各端子を介して必要な情報を伝える。１２９は表示ブロックであり、例えばＬＣＤ等に必要な情報を表示するものである。１３０はレンズを駆動するためのレンズ駆動回路、１３１はフィルムを給送するためのフィルム駆動回路で、カメラ制御ブロック１２５のＦＩＬＭＤ端子の制御によりフィルム駆動を行う。
【００１３】
次に、上記制御回路の動作とともに、図３のフローチャートに従い動作の説明を行う。
【００１４】
ここでは、カメラ用電池はすでにカメラに投入された状態であり、この状態ではカメラ制御ブロック１２５のマイコンは低消費モードとなっていて動作が停止しているものとして説明を行う。
ここで図３のフローチャートに従えば、カメラ制御ブロック１２５のマイコンに必要な初期設定を行う（Ｓ１）。次にスイッチ検知回路ブロック１２１の情報により撮影に必要な情報、また、スイッチの設定状態を確認する（Ｓ２）。
【００１５】
スイッチ検知回路ブロック１２１内にて電源スイッチの状態が検出され、その判定をＳ３にて行う。この時、電源ＳＷが投入されていれば、制御ブロック１２５は低電圧回路ブロック１２０にＶＣＣＥＮ端子を介して信号を与え低電圧ブロック１２０は各回路ブロックに電源Ｖｃｃを供給する。電源ＳＷが投入されていなければＳ４へいく。このＳ４に関しては、後述する。
【００１６】
次にＳ５にてバッテリチェックを行う。このバッテリチェック動作では電池の開放電圧Ｅ０と及び定電流Ｉｏを流す事による電池電圧Ｅ１を確認する。確認したデータにより
Ｒｂａｔｔ＝（Ｅ０―Ｅ１）／Ｉ０
の式より電池の内部抵抗Ｒｂａｔｔを求め、電池状態を判別する（Ｓ５）。　もちろんこの方法に限るものでなく、その他何れかの方法にて開放電圧及び電池の内部抵抗を求め電池状態を判別する（Ｓ５）。これらによって求められる電池抵抗は電池接片などの接触抵抗が含まれる。
【００１７】
Ｓ６にてバッテリチェックの結果がＮＧつまり電源電圧が低いと判定されたならば、カメラ動作不可として　シーケンスＳ２へ戻る。
【００１８】
次に、Ｓ７にてストロボ用メインコンデンサが充電完了かいないかチェックする。
【００１９】
充電完了していないときは、Ｓ８にて、フラッシュの充電駆動を行う
このフラッシュ充電駆動を説明する。
【００２０】
次に、この時のマイコンの動作をフローチャート第４図を用いて説明するまず、Ｓ４１にて、電池電圧ＶＢＡＴをＡＤ変換し、その電圧値を入手する。Ｓ４２にて　メインコンデンサの充電電圧を電圧検出回路１５経由にて入手し、ＡＤ変換する。１０３にてＴ１、Ｔ２、Ｔ３算出を行う。
【００２１】
このＴ１，Ｔ３とは、半導体ＳＷ、２のオン時間のパルス巾を算出するものであり、先ほど求めたＶＢＡＴと、３のトランスの一次側インダクタンス値をＬ１、一次側電流最大値をＩ１０とすると、
Ｔ１＝（Ｌ１×Ｉ１０）／ＶＢＡＴ
で算出される値、
Ｔ３は２回目以降の一次側電流制御のオン時間である。基本的には下記の式でＴ１の丁度半分の値になるように設定する
Ｔ３＝（Ｌ１×Ｉ１０）／（２×ＶＢＡＴ）
で算出される。
【００２２】
次にＴ２を算出する。トランス２次側のインダクタンス値をＬ２とし、２次側電流の最大値より、１／２の値のところになったときに　２次電流の放出を停止し、一次側が再度電流が流れる条件になるように、Ｔ２の時間を決定する。
Ｔ２＝（Ｌ２×Ｉ１０）／（２×Ｎ×ＶＣＭ）
ここで、Ｎ：トランス、一次二次の巻数比である。半導体ＳＷ、２がオフした瞬間、２次側には　２次側の初期電流（つまりは最大値）として、Ｉ１０／Ｎの電流から始まることになる。このＴ２はメインコンデンサ充電電圧ＶＣＭによって変動し、ＶＣＭが低いときは，Ｔ２は長くなり、ＶＣＭが高い時は、Ｔ２は短くなる。
【００２３】
Ｓ４３にて算出されたＴ１、Ｔ２、Ｔ３に基づき、トランス４の駆動つまりは半導体ＳＷ、２のゲート駆動を行う。このとき半導体ＳＷ、６はオフのままとする。
【００２４】
このオンオフ駆動を繰り返すように、例えば、マイコンのＰＷＭポート等にその駆動条件を設定し、半導体ＳＷ２のゲート駆動つまりはトランスの昇圧動作を行う。
【００２５】
このときの駆動の様子をタイミングチャート第８図に示す。
この第８図において　マイコンのａ端子は、Ｔ１時間まずオン制御し、トランス一次側電流は最大値Ｉ１０に到達する。このときのトランス内部の磁束の様子はΦとして記載してある。一次側電流が最大値到達後、Ｔ２間オフ制御し、トランス２次側より、ダイオード５を経由してメインコンデンサへ電流放出が行われる。つぎに、２回目以降として、Ｔ５時間オン制御か行われ、一次側電流は丁度、Ｉ１０の半分の値から開始し、Ｔ３時間のオンにより、また、最大値のＩ１０に到達する。以降Ｔ２のオフ、Ｔ３のオンという風に繰り返し、充電をおこなうことになる
図３に戻り、Ｓ７にて充電が完了しているときには、Ｓ９にて、充電を停止する。
【００２６】
Ｓ１０にて、撮影準備を行う為のレリーズボタンの半押し状態である第一ストローク信号（ＳＷ１と記す）の判定を行う。第一ストローク信号スイッチ信号が発生すると分岐し、Ｓ１１にていかなる充電も一端停止をかける。もし、第一ストローク信号スイッチ信号が発生していなければ、Ｓ２のスイッチ検知のルーチンへ戻る。戻った以降　ＳＷ等の状態変化がなければ、充電は継続され、メインコンデンサの充電電圧が所定値に到達するまで、充電は継続される。所定値に到達したならば、Ｓ８にて充電停止がおこなれた状態にてＳ９でＳＷ１がオンさせるのを待つことになる。もし、Ｓ１０にてＳＷ１がオンされていたならば、Ｓ１１にて充電状態がいかなる状態にても、一度充電停止し、Ｓ１２のＡＦ（測距）のルーチンへ入る。
【００２７】
端子ＡＦＥＮに信号を与え測距回路ブロック１２７を作動させて被写体までの距離を測距する。なお、測距情報はＡＦＤ端子よりカメラ制御ブロック１２５に与えられる。
【００２８】
続いてＳ１３にて、測光回路ブロック１２８のＡＥＥＮ端子に信号を送ることで被写体の輝度を測定し、この情報を端子ＡＥＤを介してカメラ制御ブロック１２５に与える。そして、Ｓ１４にて、この輝度データから被写体輝度が所定輝度より高いか低いかを判定し、輝度が低い場合にはＳ１５のフラッシュモード設定に進む。このフラッシュモードの設定というのは、露光時にフラッシュ発光が行われるモードを意味する。
【００２９】
Ｓ１６にて、メインコンデンサの充電が完了しているかの判定をし、完了しているならば、Ｓ１８にてフラッシュの充電停止の処理を行う。充電が未完ならば、Ｓ１７にてフラッシュの充電駆動を行う。これは、すでに露光に際し、ストロボのよる発光が必要であるためにストロボ用のメインコンデンサへの充電を行う。
【００３０】
このＳ１７の駆動は先のＳ８と同じである。
【００３１】
このフライッバク型昇圧制御の動作の一般的概要を説明すれば、図１に示すカメラ制御ブロック１９（図２でカメラ制御ブロック１２５）から接続端子ａを介してスイッチ素子２の制御電極に所定の発振信号があたえられ、従ってスイッチ素子２の制御電極にはハイレベル及びロウレベルの信号が入力される。発振素子２の制御電極がハイレベルとなると。スイッチ素子２は導通し電池１より発振トランス４の一次巻線に電流が流れる。この為、発振トランス４の二次巻線Ｓには誘導起電力が発生するがこの電流の極性は高圧整流用ダイオード６に対してブロックされる極性となるため発振トランス４からは励起電流が流れずエネルギが発振トランス４に蓄積される。接続ラインａがロウレベルとなるとスイッチ素子２の制御電極がロウレベルとなるためスイッチ素子２は非導通となり発振トランス４の二次巻線には逆起電力が発生するこの逆起電力は整流ダイオード６、メインコンデンサ１８を介して流れメインコンデンサ１８に電荷が蓄積される。　発振トランス内のエネルギが放出された時点で再び端子ａよりハイレベル信号が発生すると、同様に再びスイッチ素子２が導通して発振トランス４にエネルギを蓄積し、また、ロウレベル信号により発振素子２が非導通となり発振トランス４の蓄積エネルギが放出され電荷がメインコンデンサに充電される。この動作を繰り返すことでメインコンデンサ２１の電圧は上昇する。
【００３２】
図３に戻り、Ｓ１９にて　ＳＷ１がオフされたどうかの判定をし、オフされたならば、Ｓ２７にてタイマをスタートかける。
【００３３】
Ｓ１９にてＳＷ１がオフしていないならば，Ｓ２０にてレリーズスイッチの第二ストローク（全押し操作、ＳＷ２と略記）の判定をし、ＳＷ２がオンしていないならば、Ｓ１４へ戻り、再度、Ｓ１５、Ｓ１６、Ｓ１７とルーチンを経過し、充電の駆動を継続し、メインコンデンサの充電が完了した時点でＳ１８のルーチンを通り、充電停止が行われる。Ｓ２０にてＳＷ２がオンしているならば、Ｓ２１にて、フラッシュモードか否かの判定をし、フラッシュモードであるなら、Ｓ２２にて　充電完了かいなか判定する。充電完了ならば、Ｓ２３へ移行する。充電が未完了ならば、Ｓ１６へ戻り、再度充電を行う。これは　フラッシュモードであるから、露光時に発光するためにはメインコンデンサの充電が完了していなければ発光できないので充電を行い、Ｓ２２にて充電完了したときに、Ｓ２３へ移行する。
【００３４】
Ｓ２３にて、レンズセットを行う。これは、Ｓ１２での測距データに基づきレンズ駆動回路ブロック１２９を制御して焦点調整を行うことを意味している。次に、Ｓ２４にてシャッタ制御、発光制御を行う。これは、Ｓ１３で得られた被写体の輝度とフィルム感度データからの条件によりシャター開口をシャッタ駆動回路ブロック１２４を介して制御すると共に、輝度が低く電子閃光装置による発光が必要な場合には測距データとフィルム感度によりシャッタ制御を行い適正な絞り値で電子閃光装置を発光させる。
【００３５】
電子閃光装置の発光は図１の接続ラインｅにハイレベル信号を与えて行う。接続ラインｅにハイレベル信号が与えられると、トリガー回路ブロック１１の出力に高圧のパルス電圧が発生し放電管１２のトリガー電極に与えられ、放電管１２が励起される。この励起により放電管１２は一気にインピーダンスが低下し、メインコンデンサ１３の充電エネルギを放電し光エネルギーに変換し、被写体を照明する。
【００３６】
シャッタが閉成されると、焦点位置にあったレンズを初期位置に戻す（Ｓ２５レンズリセット）。そして、撮影の終了したフィルムをフィルム駆動回路ブロック１３１を制御して１駒分巻き上げる（Ｓ２６フィルム巻き上げ）。以降、Ｓ２のスイッチ検知へ戻る
Ｓ１９にてＳＷ１がオフしたと判定された場合は、Ｓ２７にてタイマがスタートされ、Ｓ２８にてタイマのカウントアップが行われる。
Ｓ２９にて再度ＳＷ１の判定を行い、このタイマ中にＳＷ１がオンへ変化しているならば、Ｓ１１へ戻る。ＳＷ１がオンしていないならば、次に、Ｓ３０にて電源ＳＷの判定を行い、オフしていいならば、Ｓ３１にて、タイマが完了したかいなかの判定をする。これは、タイマのカウントアップ値が所定値に到達したかいなかにて行う。タイマが完了していないならば、Ｓ２８へもどり、タイマのカウントアップを行う。もし、タイマ完了時や、Ｓ３０にて電源ＳＷがオフしたならば、Ｓ３２にてフラッシュの逆充電駆動を行う。これは、メインコンデンサから、電池へエネルギを逆転送かけるルーチンである。
【００３７】
このＳ３２のフラッシュの逆充電駆動について、図５のフローに基づき説明する。
【００３８】
まず、Ｓ５１にてカメラに内蔵された電池が２次電池かいなかの判定をする。カメラには一次電池、２次電池両方とも使用可能なものが多いので、２次電池に対してのみ、メインコンデンサから電池への逆充電を許可するために判定を行う。この２次電池の判定の方法としては、撮影者が２次電池使用時にスイッチとして設定するものでも、また、例えば、電池上の形態上の差異を一次、二次電池でつけておき、自動的に判定するものでもよい。
【００３９】
Ｓ５１にて２次電池でないならば、逆充電することなく、ＲＥＴへいく。
Ｓ５１にて２次電池と判定されたならば、Ｓ５２にてメインコンデンサの充電電荷の残り量があるかいなかの判定をする。これは、図１の１５の電圧検出回路の出力をＡＤすることにより電圧を所定値と比較することによい判断する。電荷量の残り量があるならば、電池への逆充電可能として次のステップへ移行する。
【００４０】
まず、Ｓ５３にて、電池電圧ＶＢＡＴをＡＤ変換し、その電圧値を入手する。Ｓ５４にて　メインコンデンサの充電電圧ＶＣＭを電圧検出回路１５経由にて入手し、ＡＤ変換する。Ｓ５５にてＴ４、Ｔ５算出を行う。
【００４１】
このＴ４，Ｔ５とは、半導体ＳＷ、６のオン時間のパルス巾を算出するものであり、先ほど求めたＶＣＭと、３のトランスの２次側インダクタンス値をＬ２、２次側電流最大値をＩ２０とすると、
Ｔ４＝（Ｌ２×Ｉ２０）／ＶＣＭ
で算出される値であり、このＴ４はメインコンデンサ電圧ＶＣＭによって変動し、ＶＣＭが低いときは，Ｔ４は長くなり、ＶＣＭが高い時は、Ｔ４は短くなる。
【００４２】
次にＴ５を算出する。トランス１次側のインダクタンス値をＬ１とし、１次側電流の最大値より、電流放出が進み、０になるのに必要なＴ５の時間を決定する。
Ｔ５＝（Ｌ１×Ｎ×Ｉ２０）／ＶＢＡＴ
ここで、Ｎ：トランス、一次二次の巻数比である。半導体ＳＷ、６がオフした瞬間、１次側には　１次側の初期電流（つまりは最大値）として、Ｎ×Ｉ２０の電流から始まることになる。このＴ５は電池電圧ＶＢＡＴによって変動し、ＶＢＡＴが低いときは，Ｔ５は長くなり、ＶＢＡＴが高い時は、Ｔ５は短くなる。
【００４３】
Ｓ５６にては、Ｓ５５にて算出されたＴ４、Ｔ５に基づき、トランス４の駆動つまりは半導体ＳＷ、６のゲート駆動を行う。このとき半導体ＳＷ、２はオフのままとする。
【００４４】
このオンオフ駆動を繰り返すように、例えば、マイコンのＰＷＭポート等にその駆動条件を設定し、半導体ＳＷ６のゲート駆動つまりはトランスの降圧動作を行い、電池への逆充電を行う。
【００４５】
このときの駆動の様子をタイミングチャート第９図に示す。
【００４６】
この第９図において　マイコンのｂ端子（Ｇ２と記す）は、Ｔ４時間まず半導体ＳＷ６をオン制御し、トランス２次側電流は最大値Ｉ２０に到達する。このときのトランス内部の磁束の様子はΦとして記載してある。一次側電流が最大値到達後、Ｔ５間オフ制御し、トランス１次側より、ダイオード３を経由して電池へ電流放出が行われる。電流放出が０になったときつまりは　Ｔ５時間経過後、再度オン制御に入る。以降Ｔ４のオン、Ｔ５のオフという風に繰り返し、電池への逆充電をおこなうことになる
Ｓ５７にて　逆充電が完了したかいなかの判定をする。これは、メインコンデンサの充電電圧の残り量が、電荷放出が進み、ほとんど残留電荷がないようなレベルかどうかの判定をすることにより行う。すでに、まだ、電荷が残っていると判定されたならば、Ｓ５３へ戻り、逆充電を継続する。電荷量がなくなったならば、逆充電完了として、Ｓ５８にて駆動停止をかけ、ＲＥＴへ戻る。
【００４７】
以上の様に、ここでは一度メインコンデンサへ昇圧されたエネルギを不要時には電池へ戻すようにしたので、非常にエネルギロスの少ないストロボ充電装置となった
（第二の実施例）
図６、図７に充電制御、逆充電制御としての第２の実施例を示す。
メインのフローは図３と同様であり、その中の、フラッシュ充電駆動や、フラッシュ逆充電駆動のルーチンが違うのみである
図６に第二の実施例としてのフラッシュ充電駆動時のフローチャートを示す。
【００４８】
Ｓ４１、Ｓ４２、Ｓ４３までは第一の実施例中の図４と同じ。
【００４９】
Ｓ４５にて、先のＳ４３にて算出された　Ｔ１、Ｔ２、Ｔ３に基づ駆動の駆けかたが異なる。この駆動をタイミングチャート図１０にて説明する
まず、一回目の駆動にあたり、Ｔ１時間Ｇ１（ａ端子）をオン駆動するとともに、Ｇ２（ｂ端子）はオフ駆動をする。このＧ１のＴ１時間のオンにより、一次側電流は所定値に達し、Ｔ１時間経過後、Ｔ２時間、Ｇ１はオフ駆動するとともに、Ｇ２をオン駆動する。このとき、トランス内部にて貯えられたエネルギは、２次側へ電流放出されるが、半導体ＳＷ、６がオンしているので、このトランジスタ６を経由してメインコンデンサへの電流がながれていく。また、Ｔ２時間の電流放出が終了後、２回目の駆動として、Ｔ３時間半導体ＳＷ２をオン駆動する。以降、Ｔ３のオン、Ｔ２のオフを半導体ＳＷ２は繰り返すと共に、半導体ＳＷ６は　Ｔ３のオフ、Ｔ２のオンを繰り返して、メインコンデンサへの充電を継続する
また、逆充電時の駆動を図７に示す。Ｓ５１からＳ５６までは第一の実施例図５と同じである。Ｓ５９にて、Ｓ５６にて算出された　Ｔ４、Ｔ５に基づ駆動の駆けかたが異なる。この駆動をタイミングチャート図１１にて説明する。まず、Ｔ４時間Ｇ２（ｂ端子）をオン駆動するとともに、Ｇ１（ａ端子）はオフ駆動をする。このＧ２のＴ４時間のオンにより、２次側電流は所定値に達し、Ｔ４時間経過後、Ｔ５時間、Ｇ２はオフ駆動するとともに、Ｇ１をオン駆動する。このとき、トランス内部にて貯えられたエネルギは、１次側へ電流放出されるが、半導体ＳＷ、２がオンしているので、このトランジスタ２を経由して電池への充電電流がながれていく。また、Ｔ５時間の電流放出が終了後、再度Ｔ４のオン、Ｔ５のオフを半導体ＳＷ２は繰り返すと共に、半導体ＳＷ６は　Ｔ４のオフ、Ｔ５のオンを繰り返して、電池への逆充電を継続する
このような駆動が行われがそれ以外のルーチンは第一の実施例と同じである。この第２の実施例のごとく、電流放出時に半導体ＳＷをオンさせる制御は一般的に同期整流と呼ばれるが、このような駆動を行うことにより、より、効率の良い駆動が行われる。これは、ダイオードを通して電流を流すよりも半導体ＳＷを経由したほうが損失量が少ないことによる。
【００５０】
上記の実施例においては、充電時の一次電流制御が、第一と第２のレベル間にて制御し、逆充電時の２次側の電流制御が、第３のレベルと０レベルの間になるように制御しているが、この電流制御の方法は、同一方法の制御としても良い。例えば、逆充電時の２次側制御を第３のレベルと第４レベルの間にて制御、もしくは　充電時において一次電流を第一のレベルと０レベルのように制御しても良い
また、トランスに流れる一次電流、２次電流の制御として、マイクロコンピュータを用いて、電池電圧や、メインコンデンサの電圧から半導体ＳＷの駆動時間を算出しているが、この制御としては、直接、１次電流や、２次電流を抵抗等でモニタして所定値レベルとの比較等を行うことにより、等価的に、同一の制御が充電、逆充電ともに可能である。また、一次電流や、２次電流をモニタする以外にも、トランス内部に発生する磁束をトランスに対し、第３のモニタ用巻線を追加することにより、その発生電圧を積分して内部の磁束量を検知しながらの制御も可能である
また、上記実施例においては、逆充電のタイミングを　電源ＳＷや、レリーズ釦の操作に連動しているが、カメラの操作が無いような状態を検知しても良い。例えば、電源ＳＷ相当としては、良くあるように、レンズのバリアの開閉に連動させても良い。例えば、レンズのバリアを開いたら、電源ＳＷオンと等価とみなしてカメラシーケンス開始、バリアを閉じたら、電源ＳＷオフと等価とみなして、フラッシュの逆充電を開始するようにしても良い。また、撮影者のファインダをのぞいているかどうかの検出に基づき、制御しても良い。また、グリップを握っているかどうかのの検出に基づいて制御しても良い。
【００５１】
【発明の効果】
放電管と放電管の発光エネルギを蓄積するメインコンデンサと電池電圧を昇圧する昇圧回路とを有する電子閃光装置に於いて、
メインコンデンサへの昇圧動作とメインコンデンサから電池への逆充電を可能として、カメラ操作が不要時において、エネルギをメインコンデンサから電池へもどすことにより、無駄の無いエネルギの使い方ができるという効果を有する。
【００５２】
また、この駆動の切り替えをシャッタ釦に連動させたり、電源ＳＷに連動させて行うことにより撮影者に駆動モードの切り替えを意識させることなくでき、操作感の良い、カメラを提供できる。
【００５３】
また、同期整流動作をさせることにより効率の良い駆動が行われるという効果もある。
【図面の簡単な説明】
【図１】本発明の第一の実施例である電子閃光装置の回路図を示す。
【図２】本発明の電子閃光装置を含むカメラの構成を示す図である。
【図３】本発明の動作を示すのフローチャートである。
【図４】本発明の充電駆動時のフローフローチャートを示す。
【図５】本発明の逆充電駆動時のフローフローチャートを示す。
【図６】第２の発明の充電駆動時のフローフローチャートを示す。
【図７】第２の発明の逆充電駆動時のフローフローチャートを示す。
【図８】本発明の充電駆動時のタイミングチャートを示す。
【図９】本発明の逆充電駆動時のタイミングチャートを示す。
【図１０】第２の発明の充電駆動時のタイミングチャートを示す。
【図１１】第２の発明の逆充電駆動時のタイミングチャートを示す。
【符号の説明】
１　電源電池
２　半導体スイッチ素子
３　ダイオード
４　発振トランス
５　ダイオード
６　半導体スイッチ素子
１５　電圧検出回路ブロック
１７　放電管
１８　メインコンデンサ
１９　カメラの制御回路ブロック
【図１】
2004004378.tif 000003
【図２】
2004004378.tif 000004
【図３】
2004004378.tif 000005
【図４】
2004004378.tif 000006
【図５】
2004004378.tif 000007
【図６】
2004004378.tif 000008
【図７】
2004004378.tif 000009
【図８】
2004004378.tif 000010
【図９】
2004004378.tif 000011
【図１０】
2004004378.tif 000012
【図１１】
2004004378.tif 000013